(57)【要約】【課題】線香の折れを防止し、着火作業のしやすい、線香着火装置を提供する。【解決手段】線香６を収容部５に前後方向に長くなるように寝かせて収容した可動容器３が装置本体２のストッパー部７に接触して停止した位置から前方に移動し、収容部５に収容された線香６の装置本体２よりも前方に突出した前端部に着火具８の炎９で着火し得る線香着火装置であって、可動容器３がストッパー部７に接触して停止した位置と着火し得る位置との両方の位置において、前拘束部１１が収容部５に収容された線香６を上から下に押し付けることなく可動容器３の前端部の側及び線香６の前端部の側の浮き上がりを規制し、後拘束部１２が収容部５に収容された線香６を上から下に押し付けることなく可動容器３の後端部の側及び線香６の後端部の側の浮き上がりを規制している。【選択図】図１
2019143851.tif 000002
【特許請求の範囲】
【請求項１】
装置本体の上に可動容器がガイド機構で誘導されかつ前後方向に移動可能に設けられ、前記可動容器に前方及び上方に開口した収容部が前記可動容器の前面及び上面から内部に窪む凹部として設けられ、線香の後端部が前記収容部の後壁部に接触し、前記線香の前端部が前記収容部より前方に突出し、前記線香が前記収容部に前後方向に長くなるように寝かせて収容され、前記可動容器が前方から後方に移動して前記装置本体のストッパー部に接触して停止すると前記収容部の前記線香の前端部が前記装置本体の前端部より後端部の側に入り、前記可動容器が後方から前方に移動し前記収容部の前記線香の前端部が前記装置本体の前端部よりも前方に突出し、前記可動容器の後方から前方への移動が停止した状態において、前記装置本体の前端部よりも前方に突出した前記線香の前端部に着火具で着火し得る線香着火装置であって、前記可動容器が前記ストッパー部に接触して停止した位置と前記着火し得る前方への停止した位置との両方の位置において前記可動容器の前端部の側及び前記線香の前端部の側の浮き上がりを規制する前拘束部と前記可動容器の後端部の側及び前記線香の後端部の側の浮き上がりを規制する後拘束部とが前記装置本体に設けられたことを特徴とする線香着火装置。
【請求項２】
前記収容部が線香を左右方向に一本ずつ並べた状態に収容する深さになったことを特徴とする請求項１記載の線香着火装置。
【発明の詳細な説明】
【技術分野】
【０００１】
本発明は、線香着火装置に関する。
【背景技術】
【０００２】
図７を用いて特許文献１で開示された線香着火装置１０１について説明する。図７に示した線香着火装置１０１は、装置本体１０２の上に可動容器１０３が前後方向に移動可能に設けられる。可動容器１０３には、前方及び上方に開口した収容部１０４が可動容器１０３の前面及び上面から内部に窪む凹部として設けられ、線香１０５の後端部が収容部１０４の後壁部に接触し、線香１０５の前端部が収容部１０４より前方に突出し、線香１０５が収容部１０４に前後方向に長くなるように寝かせて収容される構成である。そして、図７のＡ図に示したように、蓋体１０６が人の操作で軸１０７を回転中心として後方に回転されて開かれ、可動容器１０３が前方から後方に移動して装置本体１０２のストッパー部１０８に接触して停止すると収容部１０４の線香１０５の前端部が装置本体１０２の前端部より後端部の側に入るようになっている。又、図７のＢ図に示したように、可動容器１０３が人の操作で後方から図７のＡ図に矢印Ｘ１１で示した前方に移動し収容部１０４の線香１０５の前端部が装置本体１０２の前端部よりも前方に突出し、可動容器１０３の後方から前方への移動が停止し、蓋体１０６が人の操作で軸１０７を回転中心として図７のＡ図に矢印Ｘ１２で示した前方に回転して閉じられて線香１０５を上から下に押圧した状態において、装置本体１０２の前端部よりも前方に突出した線香１０５の前端部に着火具１０９で着火し得るようになっている。
【０００３】
しかしながら、図７のＢ図に示したように、人の操作で軸１０７を回転中心として前方に回転して閉じられた蓋体１０６が線香１０５を上から下に押し付ける構造であることから、人が蓋体１０６に押圧する力を加え過ぎると、線香１０５が折れることがある。このため、線香１０５が折れないように、人が蓋体１０６に与える押圧する力を調節しながら着火する必要があり、着火作業がやりにくい。
【先行技術文献】
【特許文献】
【０００４】
【特許文献１】実公昭６３−４７７３５号公報
【発明の概要】
【発明が解決しようとする課題】
【０００５】
本発明は、上記背景技術に鑑みてなされたものであり、線香の折れを防止し、着火作業のしやすい、線香着火装置の提供を目的とする。
【課題を解決するための手段】
【０００６】
本発明は、装置本体の上に可動容器がガイド機構で誘導されかつ前後方向に移動可能に設けられ、前記可動容器に前方及び上方に開口した収容部が前記可動容器の前面及び上面から内部に窪む凹部として設けられ、線香の後端部が前記収容部の後壁部に接触し、前記線香の前端部が前記収容部より前方に突出し、前記線香が前記収容部に前後方向に長くなるように寝かせて収容され、前記可動容器が前方から後方に移動して前記装置本体のストッパー部に接触して停止すると前記収容部の前記線香の前端部が前記装置本体の前端部より後端部の側に入り、前記可動容器が後方から前方に移動し前記収容部の前記線香の前端部が前記装置本体の前端部よりも前方に突出し、前記可動容器の後方から前方への移動が停止した状態において、前記装置本体の前端部よりも前方に突出した前記線香の前端部に着火具で着火し得る線香着火装置であって、前記可動容器が前記ストッパー部に接触して停止した位置と前記着火し得る前方への停止した位置との両方の位置において前記収容部に収容された線香を上から下に押し付けることなく前記可動容器の前端部の側及び前記線香の前端部の側の浮き上がりを規制する前拘束部と前記収容部に収容された線香を上から下に押し付けることなく前記可動容器の後端部の側及び前記線香の後端部の側の浮き上がりを規制する後拘束部とが前記装置本体に設けられたことを特徴とする。
【発明の効果】
【０００７】
本発明は、前拘束部が収容部に収容された線香を上から下に押し付けることなく可動容器の前端部の側及び前記線香の前端部の側の浮き上がりを規制し、後拘束部が収容部に収容された線香を上から下に押し付けることなく可動容器の後端部の側及び前記線香の後端部の側の浮き上がりを規制するので、人が手で線香着火装置を持った場合において、線香着火装置の前端部が線香着火装置の後端部よりも上に位置するように、人が線香着火装置を上向きに操作しても、可動容器及び線香が浮き上がることなく、可動容器が装置本体の上に静止し、線香が収容部の中に静止しており、線香の折れを防止し、着火作業のしやすい、線香着火装置を提供できる効果がある。本発明において、収容部が線香を左右方向に一本ずつ並べた状態に収容する深さになっていれば、複数本の線香が収容部に互いに左右方向に一本ずつ並べられた状態に収容されて、複数本の線香が着火しやすい効果を奏する。
【図面の簡単な説明】
【０００８】
【図１】発明を実施するための形態１に係る線香着火装置を前後方向で縦に切断した断面図であって、Ａ図は可動容器がストッパー部に接触した初期状態を示し、Ｂ図は線香への着火状態を示し、Ｃ図は線香の取り出し状態を示す。
【図２】発明を実施するための形態１に係る線香着火装置の分解斜視図。
【図３】発明を実施するための形態２に係るガイド機構の正面図。
【図４】発明を実施するための形態３に係るガイド機構の分解斜視図。
【図５】発明を実施するための形態４に係るガイド機構の分解斜視図。
【図６】発明を実施するための形態５に係るガイド機構を左右方向で縦に切断した断面図。
【図７】従来の線香着火装置を前後方向で縦に切断した断面図であって、Ａ図は可動容器がストッパー部に接触した初期状態を示し、Ｂ図は線香への着火状態を示す。
【発明を実施するための形態】
【０００９】
図１を用いて発明を実施するための形態に係る線香着火装置１の構造について説明する。図１に示した線香着火装置１は、装置本体２の上に可動容器３がガイド機構４で誘導されかつ前後方向に移動可能に設けられる。可動容器３には前方及び上方に開口した収容部５が可動容器３の前面及び上面から内部に窪む凹部として設けられ、線香６の後端部が収容部５の後壁部に接触し、線香６の前端部が収容部５より前方に突出し、線香６が収容部５に前後方向に長くなるように寝かせて収容される構成である。ガイド機構４は、可動容器３を前後方向に誘導するものであって、装置本体２に設けられた左右のガイド部１４と可動容器３に設けられ左右の被ガイド部１５（図２参照）とから構成される。
【００１０】
そして、図１のＡ図に示したように、可動容器３が前方から後方に移動して装置本体２のストッパー部７に接触して停止すると収容部５における線香６の前端部が装置本体２の前端部より後端部の側に入るようになっている。又、図１のＢ図に示したように、可動容器３が後方から前方に移動し収容部５における線香６の前端部が装置本体２の前端部よりも前方に突出し、可動容器３の後方から前方への移動が停止した状態において、装置本体２の前端部よりも前方に突出した線香６の前端部に着火具８の炎９で着火し得るようになっている。
【００１１】
更に、可動容器３には、前拘束部１１と後拘束部１２とが設けられる。前拘束部１１は、可動容器３が図１のＡ図に示したストッパー部７に接触して停止した位置と、可動容器３が図１のＢ図に示した着火し得る前方への停止した位置との両方の位置において、収容部５に収容された線香６を上から下に押し付けることなく可動容器３の前端部の側及び線香６の前端部の側の浮き上がりを規制するようになっている。後拘束部１２は、可動容器３が図１のＡ図に示したストッパー部７に接触して停止した位置と、可動容器３が図１のＢ図に示した着火し得る前方への停止した位置との両方の位置において、収容部５に収容された線香６を上から下に押し付けることなく可動容器３の後端部の側及び線香６の後端部の側の浮き上がりを規制するようになっている。
【００１２】
前記のように、前拘束部１１が可動容器３の前端部の側及び線香６の前端部の側の浮き上がりを規制し、後拘束部１２が可動容器３の後端部の側及び線香６の後端部の側の浮き上がりを規制するので、人が手で線香着火装置１を持った場合において、線香着火装置１の前端部が線香着火装置１の後端部よりも下に位置するように、上記人が線香着火装置１を下向きにしないかぎり、収容部５に収容された線香６が線香着火装置１から前方に滑り落ちることはない。
【００１３】
具体的には、前拘束部１１が可動容器３の前端部の側及び線香６の前端部の側の浮き上がりを規制する態様は前拘束部１１が可動容器３の収容部５の左右の側壁部１３における前端部の上面及び線香６の前端部の上面に接触するか又は接触しないが接触する程度に近接したことによって、前拘束部１１が可動容器３の前端部の側及び線香６の前端部の側の浮き上がりを規制する。
【００１４】
前拘束部１１が装置本体２に設けられた場合には、前拘束部１１の下面が装置本体２の左右のガイド部１４の上面に接触することによって、前拘束部１１が可動容器３の前端部の側及び線香６の前端部の側の浮き上がりを規制するか、又は、前拘束部１１の下面が左右のガイド部１４の上面に接触することなく前拘束部１１の装置本体２からの所定寸法によって、前拘束部１１が可動容器３の前端部の側及び線香６の前端部の側の浮き上がりを規制する。
【００１５】
後拘束部１２が可動容器３の後端部の側及び線香６の後端部の側の浮き上がりを規制する態様は、後拘束部１２が可動容器３の収容部５の左右の側壁部１３における後端部の上面及び線香６の後端部の上面に接触するか又は接触しないが接触する程度に近接したことによって、後拘束部１２が可動容器３の後端部の側及び線香６の後端部の側の浮き上がりを規制する。
【００１６】
後拘束部１２が装置本体２に設けられた場合には、後拘束部１２の下面が装置本体２の左右のガイド部１４の上面に接触するか又は接触しないで接触する程度に近づくことによって、後拘束部１２が可動容器３の後端部の側及び線香６の後端部の側の浮き上がりを規制する。
【００１７】
以上のように前拘束部１１が可動容器３の前端部の側及び線香６の前端部の側の浮き上がりを規制する態様にあっては前拘束部１１が可動容器３から上方に離れており、後拘束部１２が可動容器３の後端部の側及び線香６の後端部の側の浮き上がりを規制する態様にあっては後拘束部１２が可動容器３から上方に離れているので、前拘束部１１及び後拘束部１２が可動容器３に接触した構造よりも、可動容器３の前後方向への移動が円滑になる。
【００１８】
又、前拘束部１１が収容部５に収容された線香６を上から下に押し付けることなく可動容器３の前端部の側及び線香６の前端部の側の浮き上がりを規制し、後拘束部１２が収容部５に収容された線香６を上から下に押し付けることなく可動容器３の後端部の側及び線香６の後端部の側の浮き上がりを規制するので、人が手で線香着火装置１を持った場合において、線香着火装置１の前端部が線香着火装置１の後端部よりも上に位置するように、人が線香着火装置１を上向きに操作しても、可動容器３及び線香６が浮き上がることなく、可動容器３が装置本体２の上に静止し、線香６が収容部５の中に静止しており、線香の折れを防止し、着火作業のしやすい、線香着火装置を提供できる。
【００１９】
次に線香着火装置１の作用について説明する、図１のＡ図に示したように可動容器３がストッパー部７に接触し、人が手で線香着火装置１を上向きに持った状態において、可動容器３の前拘束部１１と後拘束部１２との間に位置する収容部５の左右の側壁部１３の上面を手で図１のＡ図に矢印Ｘ１で示した前方に押してガイド部１４に誘導させつつ移動させる。
【００２０】
そして、図１のＢ図に示したように、可動容器３が装置本体２の上を前方に滑り、線香６の前端部が装置本体２よりも前方に突出した状態になる。前記人が可動容器３を前方に押す場合、図１のＢ図に示したように、可動容器３及び線香６が前拘束部１１及び後拘束部１２で浮き上がないように規制されており、可動容器３が装置本体２よりも前方に突出せず、線香６の前端部だけが装置本体２よりも前方に突出した態様となるように調整される。
【００２１】
前記のように図１のＢ図に示したように、線香６の前端部だけが装置本体２よりも前方に突出し、可動容器３の後方から前方への移動が停止した状態において、装置本体２の前端部よりも前方に突出した線香６の前端部に着火具８の炎９で着火する。
【００２２】
線香６の着火後、可動容器３の前拘束部１１と後拘束部１２との間に位置する収容部５の左右の側壁部１３の上面を手で図１のＢ図に矢印Ｘ２で示した前方に押してガイド部１４に誘導させつつ移動させる。すると、図１のＣ図に示したように、可動容器３が装置本体２の上を前方に滑り、可動容器３の収容部５及び線香６が後拘束部１２から前方に離れ、後拘束部１２による可動容器３と線香６とに対する浮き上がりの規制が解除され、人が前拘束部１１を装置本体２から図１のＣ図に矢印Ｘ３で示した上方に取り外し、前拘束部１１による可動容器３と線香６とに対する浮き上がりの規制が解除される。
【００２３】
このように図１のＣ図に示した状態において、人が手で線香６の後端部の側の未着火な部分を掴んで収容部５から取り出し、人が線香６を手向けられる。その後、人が可動容器３を手で図１のＣ図に矢印Ｘ４で示した後方に押してガイド部１４に誘導させつつ移動させると、可動容器３の後端部が後拘束部１２と装置本体２との間に収容されてストッパー部７に接触して停止する。
【００２４】
収容部５が線香６を左右方向（図１の紙面の表裏の側の方向）に一本ずつ並べた状態に収容する深さになっている。具体的には、収容部５の底面と左右の側壁部１３の上面との間の寸法つまり収容部５の深さＴ１は、１本の線香６の直径Ｄ１から１本の線香６の直径Ｄ１の２倍未満に設定されている（Ｄ１≦Ｔ１＜２×Ｄ１）。
【００２５】
前記のように収容部５が線香６を左右方向に一本ずつ並べた状態に収容する深さになっていれば、複数本の線香６が収容部５に互いに左右方向に一本ずつ並べられた状態に収容されて、複数本の線香６が着火しやすい。収容部５の深さは、線香６を左右方向に一本ずつ並べた状態に収容する深さに限定されるものでなく、線香６を左右方向に一本ずつ並べた状態を上下に積層した状態に収容する深さでも適用可能である。
【００２６】
図２を用いて発明を実施するための形態１に係る線香着火装置１の各構成要素について説明する。装置本体２には、ストッパー部７と後拘束部１２と左右のガイド部１４と支持部１６と装着部１７とが設けられる。
【００２７】
左右のガイド部１４の所定間隔に可動容器３が収容され、可動容器３の底部が装置本体２の所定間隔における上面に搭載され、可動容器３の最も左側の側壁部１３の左外側面と最も右側の側壁部１３の右外側面とでからなる可動容器３の左右の被ガイド部１５が装置本体の左右のガイド部１４に左右方向に対峙するように嵌め合わされ、可動容器３が人によって前後方向に押されると、可動容器３が左右のガイド部１４と左右の被ガイド部１５とによる誘導で前後方向に移動する。よって、可動容器３を前後方向に誘導するガイド機構４が左右のガイド部１４と左右の被ガイド部１５とで構成される。
【００２８】
ストッパー部７は、前方から後方に移動する可動容器３を停止するものであって、左右のガイド部１４の間における装置本体２の後端部の側の上面より上方に突出した態様である。左右のガイド部１４で誘導された可動容器３が前方から後方に移動してストッパー部７の前面に接触して停止する。
【００２９】
後拘束部１２は、可動容器３の後端部の側及び線香６の後端部の側の浮き上がりを規制するものであって、左右のガイド部１４の後端部の上面とストッパー部７の上面とに固定され、後拘束部１２の下面と左右のガイド部１４の間における装置本体２の上面との間に可動容器３の後端部を収容可能な空間を形成し、当該空間に線香６を収容した可動容器３の後端部が収容されることによって、後拘束部１２が可動容器３の後端部の側及び線香６の後端部の側の浮き上がりを規制する。
【００３０】
支持部１６は、線香６への着火時に人に対し線香着火装置１を持ちやすくするものであって、左右のガイド部１４及びストッパー部７並びに後拘束部１２よりも後方で装置本体２に設けられ、上下方向に貫通した貫通孔として構成される。線香着火装置１を持つ人の例えば左手の親指の指先を装置本体２の上方から貫通孔としての支持部１６に通し、上記人の左手の中指の指先を折り曲げて支持部１６及びその周りの装置本体２の下面に下方から押し当てることで、親指の指先の一部と中指の指先の一部とが支持部１６に入り、親指の指先と中指の指先とが滑ることなく、支持部１６に対する親指の指先と中指の指先と位置が安定し、上記親指と中指とで装置本体２の後端部を上下方向より挟んで支持することができる。支持部１６は、貫通孔に限定されるものではなく、窪み又は突起でも適用可能である。
【００３１】
装着部１７は、前拘束部１１の左右の端部に設けられた被装着部１８を装置本体２に着脱可能に取り付けるものであって、左右のガイド部１４よりも左右の外側で装置本体２に設けられる。装着部１７及び被装着部１８は、凹部と凸部とからなる嵌め合い構造又は面ファスナーからなる嵌め合い構造又は永久磁石と鉄とからなる嵌め合い構造により着脱可能に構成される。
【００３２】
尚、左右の被装着部１８のうちの一方を左右の装着部１７のうちの一方にヒンジ部で上下方向に開閉に連結し、左右の被装着部１８のうちの他方を左右の装着部１７のうちの他方に凹部と凸部とからなる嵌め合い構造又は面ファスナーからなる嵌め合い構造又は永久磁石と鉄とからなる嵌め合い構造により着脱可能に構成すれば、前拘束部１１を装置本体２から取り外すことなく開閉だけで良いので、前拘束部１１が無くなることがなく、前拘束部１１を装置本体２から取り外す構造に比べ、前拘束部１１管理が容易になる。
【００３３】
被装着部１８が装着部１７に取り付けられると、前拘束部１１が装置本体２に設けられて可動容器３の前端部の側及び線香６の前端部の側の浮き上がりを規制する態様になる。
【００３４】
可動容器３には、収容部５が左右方向に４列に並んで設けられた態様である。各収容部５の間には各収容部５を仕切る側壁部１３が設けられる。最も左側の収容部５と左から右へ２番目の収容部５とを仕切る側壁部１３は、最も左側の収容部５の右の側壁部１３と２番目の収容部５の左の側壁部１３として機能する。２番目の収容部５と左から右へ３番目の収容部５とを仕切る側壁部１３は、２番目の収容部５の右の側壁部１３と３番目の収容部５の左の側壁部１３として機能する。左から右へ３番目の収容部５と最も右側の収容部５とを仕切る側壁部１３は、３番目の収容部５の右の側壁部１３と最も右側の収容部５の左の側壁部１３として機能する。
【００３５】
収容部５の個数は、４個に限定されるものではなく、１個、２個、３個、５個以上でも適用可能である。又、１個の収容部５に左右方向に一本ずつ並べられる線香６の本数は、３本に限定されるものではなく、１本、２本、４本以上でも適用可能である。収容部５が複数個ある場合において、各収容部５に左右方向に一本ずつ並べられる線香６の本数は、収容部５ごとに同じ本数でも異なる本数でも良い。
【００３６】
図３を用いて発明を実施するための形態２に係るガイド機構４について説明する。図３に示したガイド機構４は、左右のガイド部１４の内側面が下から上に行くに従って内側に突出する斜面となり、左右の被ガイド部１５の外側面が上から下に行くに従って外側に突出する斜面となり、左右のガイド部１４と左右の被ガイド部１５とが前後方向に移動可能に嵌め合わされると、可動容器３が装置本体２から上方に抜けないようになっている。
【００３７】
図４を用いて発明を実施するための形態３に係るガイド機構４について説明する。図４に示したガイド機構４は、左右のガイド部１４と左右の被ガイド部１５とサブガイド部１９と被サブガイド部２０とを備える。サブガイド部１９は、溝又は突起により構成される。サブガイド部１９を構成する溝又は突起は、左右の何れか一方又は両方のガイド部１４に前後方向に延びて前後端部の閉じられた構成である。サブガイド部１９を構成する溝は、ガイド部１４を左右方向に貫通する態様か、又は、ガイド部１４の互いに対峙する側の面からガイド部１４の内部に窪む態様である。サブガイド部１９を構成する突起はガイド部１４の互いに対峙する側の面から互いに対峙する側に突出した態様である。
【００３８】
被サブガイド部２０は、突起又は溝により構成される。被サブガイド部２０を構成する突起又は溝は、サブガイド部１９に前後方向に移動可能に嵌め合わされる構成である。よって、サブガイド部１９と被サブガイド部２０とが互いに嵌め合わされることで、可動容器３が装置本体２から抜けなくなり、可動容器３の移動範囲が規制される。
【００３９】
図５を用いて発明を実施するための形態４に係るガイド機構４について説明する。図５に示したガイド機構４は、左右のガイド部１４が装置本体２に前後方向に延びて前後端部の閉じられた溝により構成され、被ガイド部１５が可動容器３にガイド部１４に前後方向に移動可能に嵌め合わされるように設けられた突起により構成される。ガイド部１４を構成する溝は、装置本体２を上下方向に貫通する態様か、又は、装置本体２の上面から装置本体２の内部に窪む態様である。よって、ガイド部１４と被ガイド部１５とが互いに嵌め合わされることで、可動容器３の移動範囲が規制される。
【００４０】
尚、後拘束部１２の左右の端部には図２のガイド部１４の後端部に相当する脚部２１が設けられ、脚部２１が装置本体２の上面に固定されることで、後拘束部１２の下面と装置本体２の上面との間に可動容器３の後端部を前後方向に移動可能に収容する上下方向の所定寸法の空間が構成される。
【００４１】
図６を用いて発明を実施するための形態５に係るガイド機構４について説明する。図６に示したガイド機構４は、装置本体２に前後方向に延びて前後端部の閉じられた溝により構成されたガイド部１４の左右方向の寸法が下から上に行くに従って小さくなっており、可動容器３にガイド部１４に前後方向に移動可能に嵌め合わされるように設けられた突起により構成された被ガイド部１５が左右方向の寸法が下から上に行くに従って小さくなっており、ガイド部１４と被ガイド部１５とが互いに嵌め合わされることで、可動容器３が装置本体２から上方に抜けないようになっている。
【符号の説明】
【００４２】
１    線香着火装置
２    装置本体
３    可動容器
４    ガイド機構
５    収容部
６    線香
７    ストッパー部
８    着火具
９    炎
１１  前拘束部
１２  後拘束部
１３  側壁部
１４  ガイド部
１５  被ガイド部
１６  支持部
１７  装着部
１８  被装着部
１９  サブガイド部
２０  被サブガイド部
２１  脚部
【図１】
2019143851.tif 000003
【図２】
2019143851.tif 000004
【図３】
2019143851.tif 000005
【図４】
2019143851.tif 000006
【図５】
2019143851.tif 000007
【図６】
2019143851.tif 000008
【図７】
2019143851.tif 000009